(57)【要約】【課題】  複数の洗浄方法を設けて、被洗浄物（例えば、ペットボトルをチップ化したもの）の種類に応じた洗浄を行うことができ、かつ、外側のドラム内の空間を有効に利用することができる洗浄装置を提供する。【解決手段】  洗浄装置Ａ１において、外筒部４０は駆動部１２０により回転し、内筒部７０は、駆動部１３０により回転し、外筒部４０と内筒部７０とは独立に回転し、回転方向や回転数は任意に調整可能となっている。外筒部４０と内筒部７０とは、同軸上に回転する。また、内筒部７０は、外筒部４０に対してスライド可能になっている。【選択図】        図２
2007050385.tif 000002
【特許請求の範囲】
【請求項１】
被洗浄物を洗浄する洗浄装置であって、
筒状を呈し、内部に被洗浄物を洗浄するための空間部を有する筒状部と、該筒状部の前端側に設けられ、内筒部の筒状部が突出可能に設けられた前壁部と、該筒状部の後端側に設けられた後壁部と、を備えた外筒部で、第１駆動部により任意の回転方向に回転可能な外筒部と、
外筒部内に設けられるとともに、外筒部における筒状部の前端側の端部から突出して設けられた筒状部で、被洗浄物を供給するための供給口と、外筒部における筒状部内に被洗浄物を排出するための排出口を有する筒状部を有する内筒部で、該第１駆動部とは別個の第２駆動部により任意の回転方向に回転可能な内筒部と、
を有し、
外筒部と内筒部とは同軸上に回転することを特徴とする洗浄装置。
【請求項２】
第１駆動部の回転数が所定の範囲内で任意に調整可能であるとともに、第２駆動部の回転数が所定の範囲内で任意に調整可能であることを特徴とする請求項１に記載の洗浄装置。
【請求項３】
外筒部の軸線方向における後端側の端部には第１回転軸部が設けられ、該第１回転軸部は、固定設置された軸支部に回転可能に設けられ、上記第１駆動部は、駆動回転する一対のタイヤを有し、外筒部が該一対のタイヤによっても支持されており、
また、内筒部の軸線方向における後端側の端部には第２回転軸部が設けられ、該第２回転軸部は、外筒部の後端側の端部に回転可能に支持され、上記第２駆動部は、駆動回転する一対のタイヤを有し、内筒部が該一対のタイヤによっても支持されていることを特徴とする請求項１又は２に記載の洗浄装置。
【請求項４】
内筒部における第２回転軸部は、該第２回転軸部が支持された外筒部の端部に対して軸線方向にスライド可能であり、これにより、外筒部に対する内筒部の軸線方向の位置を調整可能であることを特徴とする請求項３に記載の洗浄装置。
【請求項５】
内筒部は、内筒部の筒状部の外周面に設けられ、外筒部の筒状部内に設けられた周設部を有し、
該周設部は、内筒部の筒状部の外周部に設けられた板状部で、円形の外周を有するとともに、内筒部の筒状部を挿通する開口部を有する複数の板状部と、該複数の板状部間に設けられたシャフト部と、を有することを特徴とする請求項１又は２又は３又は４に記載の洗浄装置。
【請求項６】
外筒部における筒状部内部の気密性を向上させるための気密用部材であって、外筒部の前壁部の後端側に設けられたリング状の第１突出部と、内筒部の周設部における板状部で最も前端側にある板状部の前端側に設けられたリング状の第２突出部で、第１突出部とは異なる径を有し、側面視において、第１突出部と重なるように設けられた第２突出部からなる気密用部材を有することを特徴とする請求項５に記載の洗浄装置。
【請求項７】
上記周設部には、周設部における板状部の外周領域にリング状の板状の板状部が着脱可能に設けられ、この板状部により、外筒部の筒状部の内面との間の隙間が調整されることを特徴とする請求項５又は６に記載の洗浄装置。
【請求項８】
内筒部は、内筒部の筒状部の外周面に設けられ、外筒部の筒状部内に設けられた周設部を有し、
該周設部は、ドラム部で、内筒部の筒状部の周囲に設けられた円筒状部を有するドラム部本体と、該ドラム部本体の円筒状部の外周面に設けられた複数のリフターで突状を呈するリフターと、を有するドラム部を有することを特徴とする請求項１又は２又は３又は４に記載の洗浄装置。
【請求項９】
外筒部における筒状部は、円筒状、又は、片側テーパ形状、又は、両側テーパ形状、又は、円筒状と片側テーパ形状とを合わせた形状であることを特徴とする請求項１又は２又は３又は４又は５又は６又は７又は８に記載の洗浄装置。
【請求項１０】
上記外筒部には、回転軸の周囲に設けられた排出口を有し、該排出口から洗浄された被洗浄物を排出することを特徴とする請求項１又は２又は３又は４又は５又は６又は７又は８又は９に記載の洗浄装置。
【請求項１１】
外筒部における筒状部の後端側の周部には、分級を行うためのトロンメルが設けられ、該トロンメルを通過しない被洗浄物が外筒部に設けられた排出口から排出されることを特徴とする請求項１又は２又は３又は４又は５又は６又は７又は８又は９又は１０に記載の洗浄装置。
【請求項１２】
外筒部の後端側の周部を囲むとともに、外筒部の筒状部から落下した被洗浄物を受けるホッパを備えた排出ホッパ部を有することを特徴とする請求項１又は２又は３又は４又は５又は６又は７又は８又は９又は１０又は１１に記載の洗浄装置。
【請求項１３】
トロンメルが、外筒部の筒状部の外周面から周状に突出したリング状の一対の板状部で、軸線方向に所定の間隔を介して設けられた一対の板状部と、該一対の板状部間に設けられた網状部とを有し、該一対の板状部における後端側の板状部には、網状部を通過できなかった被洗浄物を排出するための排出口が設けられ、
外筒部の後端側で、該トロンメルを含む後端部の周部を囲むとともに、外筒部の筒状部から落下した被洗浄物を受けるホッパを備えた排出ホッパ部で、軸線方向に直角に設けられ、外筒部を設置するための開口部を有し、トロンメルの前端側に設けられた第１壁部と、軸線方向に直角に設けられ、外筒部の後端部の一部を臨ませるための開口部を有し、後壁部の後端側に設けられた第２壁部と、第１壁部と第２壁部間に設けられ、外筒部の周囲に設けられた側面部とを有する排出ホッパ部とを有することを特徴とする請求項１１に記載の洗浄装置。
【請求項１４】
排出ホッパ内部の気密性を向上させるための気密用部材であって、
排出ホッパ部の第１壁部の後端側に設けられたリング状の第１突出部と、トロンメルの前端側の板状部の前端側に設けられたリング状の第２突出部で、第１突出部とは異なる径を有し、側面視において、第１突出部と重なるように設けられた第２突出部からなる気密用部材と、
排出ホッパ部の第２壁部の前端側に設けられたリング状の第３突出部と、外筒部の後壁部の後端側に設けられたリング状の第４突出部で、第３突出部とは異なる径を有し、側面視において、第３突出部と重なるように設けられた第４突出部からなる気密用部材と、
を有することを特徴とする請求項１３に記載の洗浄装置。
【請求項１５】
排出ホッパには、集塵装置に接続するための排出口が設けられていることを特徴とする請求項１２又は１３又は１４に記載の洗浄装置。
【発明の詳細な説明】
【技術分野】
【０００１】
本発明は、各種被洗浄物（例えば、ペットボトルのチップ、残土、廃材（プラスチック、木材等の廃材））を洗浄して、被洗浄物の表面に付着した汚れ等の付着物を除去する装置に関するものである。
【背景技術】
【０００２】
従来より、廃材に付着した付着物を除去する装置として、特許文献１に示す研石機が知られている。
【０００３】
すなわち、特許文献１における研石機においては、内周面に多数の研石用ブレードを配設した外殻ロータリードラムと、その外殻ロータリードラムの内側に、外周面に多数の研石用ブレードを配設したローターが、外殻ロータリードラムの回転と逆方向に回転するように、かつ、ローターの回転軸の位置が、外殻ロータリードラムの回転軸の垂線より、その回転方向下手側に位置するように設けられている。つまり、ローターの回転軸は、外殻ロータリードラムの回転軸に対して偏心している。
【特許文献１】特開平１０−３３８５５８号公報
【発明の開示】
【発明が解決しようとする課題】
【０００４】
しかし、上記特許文献１に記載の研石機においては、外殻ロータリードラムとローターとが逆回転するのみであるので、洗浄の方法を複数設けることができず、被洗浄物の種類に応じた洗浄を行うことができないおそれがある。
【０００５】
また、上記特許文献１に記載の研石機においては、ローターの回転軸は、外殻ロータリードラムの回転軸に対して偏心しているので、外殻ロータリードラム内の空間を有効に利用することができないという問題があった。
【０００６】
そこで、本発明は、複数の洗浄方法を設けて、被洗浄物の種類に応じた洗浄を行うことができ、かつ、外側のドラム内の空間を有効に利用することができる洗浄装置を提供することを目的とするものである。
【課題を解決するための手段】
【０００７】
本発明は上記問題点を解決するために創作されたものであって、第１には、被洗浄物を洗浄する洗浄装置であって、筒状を呈し、内部に被洗浄物を洗浄するための空間部を有する筒状部と、該筒状部の前端側に設けられ、内筒部の筒状部が突出可能に設けられた前壁部と、該筒状部の後端側に設けられた後壁部と、を備えた外筒部で、第１駆動部により任意の回転方向に回転可能な外筒部と、外筒部内に設けられるとともに、外筒部における筒状部の前端側の端部から突出して設けられた筒状部で、被洗浄物を供給するための供給口と、外筒部における筒状部内に被洗浄物を排出するための排出口を有する筒状部を有する内筒部で、該第１駆動部とは別個の第２駆動部により任意の回転方向に回転可能な内筒部と、を有し、外筒部と内筒部とは同軸上に回転することを特徴とする。
【０００８】
この第１の構成の洗浄装置においては、外筒部と内筒部とを独立に回転させる。つまり、外筒部は第１駆動部により回転し、内筒部は第２駆動部により回転する。回転方向は、外筒部と内筒部で同じにしてもよいし、異なる方向としてもよい。そして、内筒部の筒状部における供給口から被洗浄物を投入する。なお、湿式の場合には、被洗浄物と水を供給し、乾式の場合には、被洗浄物とエアーを供給する。すると、内筒部の筒状部の排出口から被洗浄物が外筒部の筒状部内に排出され、外筒部の筒状部内で被洗浄物の洗浄が行われる。本発明の洗浄装置においては、外筒部と内筒部とが独立に回転し、外筒部と内筒部とはそれぞれ任意の方向に回転可能であるので、外筒部と内筒部とを異なる方向に回転させる方法以外に、同じ方向に回転させる方法も取ることができ、よって、複数の洗浄方法を設けて、被洗浄物の種類に応じた洗浄を行うことができる。また、外筒部と内筒部とは同軸上に回転するので、外筒部の筒状部内の空間を有効に利用することができる。
【０００９】
なお、上記第１の構成において、内筒部の筒状部の内周面には、螺旋状の押し込み羽根が設けられているものとするのが好ましい。これにより、内筒部の筒状部内を効率よく被洗浄物を移送することができる。また、外筒部の筒状部の内周面には、ライナが設けられ、これにより、外筒部の筒状部の内周面が凹凸に形成されているようにするのが好ましい。これにより、洗浄効率を向上させることができる。
【００１０】
また、第２には、上記第１の構成において、第１駆動部の回転数が所定の範囲内で任意に調整可能であるとともに、第２駆動部の回転数が所定の範囲内で任意に調整可能であることを特徴とする。
【００１１】
また、第３には、上記第１又は第２の構成において、外筒部の軸線方向における後端側の端部には第１回転軸部が設けられ、該第１回転軸部は、固定設置された軸支部に回転可能に設けられ、上記第１駆動部は、駆動回転する一対のタイヤを有し、外筒部が該一対のタイヤによっても支持されており、
また、内筒部の軸線方向における後端側の端部には第２回転軸部が設けられ、該第２回転軸部は、外筒部の後端側の端部に回転可能に支持され、上記第２駆動部は、駆動回転する一対のタイヤを有し、内筒部が該一対のタイヤによっても支持されていることを特徴とする。
【００１２】
以上のような構成とすることにより、外筒部と内筒部とを別個に回転させることが可能となる。また、外筒部と内筒部とがタイヤに支持されて回転することによる微振動によっても、被洗浄物の洗浄が促進される。
【００１３】
なお、第３の構成において、外筒部は、筒状部の周囲に設けられた外輪体を有し、この外輪体が２つのタイヤに支持されているものとしてもよい。また、内筒部は、筒状部の周囲に設けられた外輪体を有し、この外輪体が２つのタイヤに支持されているものとしてもよい。
【００１４】
また、第４には、上記第３の構成において、内筒部における第２回転軸部は、該第２回転軸部が支持された外筒部の端部に対して軸線方向にスライド可能であり、これにより、外筒部に対する内筒部の軸線方向の位置を調整可能であることを特徴とする。よって、内筒部と外筒部の筒状部の内周面との間の隙間の大きさを調整することが可能となる。これにより、被洗浄物の外筒部内における滞留時間を調整することが可能となる。
【００１５】
また、第５には、上記第１から第４までのいずれかの構成において、内筒部は、内筒部の筒状部の外周面に設けられ、外筒部の筒状部内に設けられた周設部を有し、該周設部は、内筒部の筒状部の外周部に設けられた板状部で、円形の外周を有するとともに、内筒部の筒状部を挿通する開口部を有する複数の板状部と、該複数の板状部間に設けられたシャフト部と、を有することを特徴とする。よって、このシャフト部が内筒部の筒状部の軸線を中心に回転することにより、被洗浄物の洗浄を効率よく行うことができる。
【００１６】
なお、第５の構成において、上記シャフト部は、少なくともその一部が回転可能に形成されているようにするのが好ましい。また、上記シャフト部は、板状部間に固定された固定シャフトと、該固定シャフトに回転可能に形成された円筒状部とから形成されているものとするのが好ましい。また、上記シャフト部は、内筒部の筒状部の周囲に複数設けられているものとするのが好ましい。また、上記シャフト部は、軸線方向に平行に設けられているものとするのが好ましい。また、内筒部の筒状部の先端側の領域に筒状部の周囲に設けられた複数のシャフト部からなる第１シャフト部群と、第１シャフト部群よりも後端側に設けられた第２シャフト部群で、内筒部の筒状部の周囲に設けられた複数のシャフト部からなる第２シャフト群とを有しているものとするのが好ましい。また、第１シャフト部群のシャフト部は、軸線方向に平行に設けられている。第２シャフト部群のシャフト部は、軸線方向に平行に設けられている。第２シャフト部群のシャフト部は、軸線方向に傾斜して設けられているものとするのが好ましい。また、周設部は、内筒部の筒状部の外周部に設けられた２つの板状部間に設けられた円筒状部で、内筒部の筒状部よりも大径な円筒状部が設けられているものとするのが好ましい。また、この円筒状部の表面は、凹凸に形成されているものとするのが好ましい。
【００１７】
また、第６には、上記第５の構成において、外筒部における筒状部内部の気密性を向上させるための気密用部材であって、外筒部の前壁部の後端側に設けられたリング状の第１突出部と、内筒部の周設部における板状部で最も前端側にある板状部の前端側に設けられたリング状の第２突出部で、第１突出部とは異なる径を有し、側面視において、第１突出部と重なるように設けられた第２突出部からなる気密用部材を有することを特徴とする。よって、乾式の場合でも、エアーが外部に抜けるのを防止でき、被洗浄物の移送効率を落とさないようにすることができる。
【００１８】
なお、第６の構成において、外筒部の前壁部の後端側と、第２突出部が設けられた板状部の前端側における一方を第１取付け部とし他方を第２取付け部とした場合に、第１取付け部にリング状の第３突出部を設け、第１取付け部に設けられた突出部と該第３突出部の間の位置に、第２取付け部に設けられた突出部があるようにして、側面視において、第３突出部が、第２取付け部に設けられた突出部と重なるように設けるものとするのが好ましい。これにより、より機密性を向上させることができる。
【００１９】
また、第７には、上記第５又は第６の構成において、上記周設部には、周設部における板状部の外周領域にリング状の板状の板状部が着脱可能に設けられ、この板状部により、外筒部の筒状部の内面との間の隙間が調整されることを特徴とする。これにより、被洗浄物の外筒部内における滞留時間を調整することが可能となる。
【００２０】
また、第８には、上記第１から第４までのいずれかの構成において、内筒部は、内筒部の筒状部の外周面に設けられ、外筒部の筒状部内に設けられた周設部を有し、該周設部は、ドラム部で、内筒部の筒状部の周囲に設けられた円筒状部を有するドラム部本体と、該ドラム部本体の円筒状部の外周面に設けられた複数のリフターで突状を呈するリフターと、を有するドラム部を有することを特徴とする。
【００２１】
また、第９には、上記第１から第８までのいずれかの構成において、外筒部における筒状部は、円筒状、又は、片側テーパ形状、又は、両側テーパ形状、又は、円筒状と片側テーパ形状とを合わせた形状であることを特徴とする。
【００２２】
また、第１０には、上記第１から第９までのいずれかの構成において、上記外筒部には、回転軸の周囲に設けられた排出口を有し、該排出口から洗浄された被洗浄物を排出することを特徴とする。
【００２３】
また、第１１には、上記第１から第１０までのいずれかの構成において、外筒部における筒状部の後端側の周部には、分級を行うためのトロンメルが設けられ、該トロンメルを通過しない被洗浄物が外筒部に設けられた排出口から排出されることを特徴とする。
【００２４】
また、第１２には、上記第１から第１１までのいずれかの構成において、外筒部の後端側の周部を囲むとともに、外筒部の筒状部から落下した被洗浄物を受けるホッパを備えた排出ホッパ部を有することを特徴とする。よって、洗浄された被洗浄物をホッパにより集積させることができる。
【００２５】
また、第１３には、上記第１１の構成において、トロンメルが、外筒部の筒状部の外周面から周状に突出したリング状の一対の板状部で、軸線方向に所定の間隔を介して設けられた一対の板状部と、該一対の板状部間に設けられた網状部とを有し、該一対の板状部における後端側の板状部には、網状部を通過できなかった被洗浄物を排出するための排出口が設けられ、外筒部の後端側で、該トロンメルを含む後端部の周部を囲むとともに、外筒部の筒状部から落下した被洗浄物を受けるホッパを備えた排出ホッパ部で、軸線方向に直角に設けられ、外筒部を設置するための開口部を有し、トロンメルの前端側に設けられた第１壁部と、軸線方向に直角に設けられ、外筒部の後端部の一部を臨ませるための開口部を有し、後壁部の後端側に設けられた第２壁部と、第１壁部と第２壁部間に設けられ、外筒部の周囲に設けられた側面部とを有する排出ホッパ部とを有することを特徴とする。よって、網状部を通過した被洗浄物と、通過しなかった洗浄物とを分けて集めることが可能となる。
【００２６】
また、第１４には、上記第１３の構成において、排出ホッパ内部の気密性を向上させるための気密用部材であって、排出ホッパ部の第１壁部の後端側に設けられたリング状の第１突出部と、トロンメルの前端側の板状部の前端側に設けられたリング状の第２突出部で、第１突出部とは異なる径を有し、側面視において、第１突出部と重なるように設けられた第２突出部からなる気密用部材と、排出ホッパ部の第２壁部の前端側に設けられたリング状の第３突出部と、外筒部の後壁部の後端側に設けられたリング状の第４突出部で、第３突出部とは異なる径を有し、側面視において、第３突出部と重なるように設けられた第４突出部からなる気密用部材と、を有することを特徴とする。よって、乾式の場合でも、エアーが外部に抜けるのを防止でき、被洗浄物の移送効率を落とさないようにすることができる。
【００２７】
なお、上記第１４の構成において、排出ホッパの第１壁部の後端側と、トロンメルの前端側の板状部の前端側における一方を第１取付け部とし他方を第２取付け部とした場合に、第１取付け部にリング状の第５突出部を設け、第１取付け部に設けられた突出部と該第５突出部の間の位置に、第２取付け部に設けられた突出部があるようにして、側面視において、第５突出部が、第２取付け部に設けられた突出部と重なるように設けるとともに、排出ホッパの第２壁部の前端側と、外筒部の後壁部の後端側における一方を第３取付け部とし他方を第４取付け部とした場合に、第３取付け部にリング状の第６突出部を設け、第３取付け部に設けられた突出部と該第６突出部の間の位置に、第４取付け部に設けられた突出部があるようにして、側面視において、第６突出部が、第４取付け部に設けられた突出部と重なるように設けるようにしてもよい。このようにすることにより、より気密性を向上させることが可能となる。
【００２８】
また、第１５には、上記第１２から第１４までのいずれかの構成において、排出ホッパには、集塵装置に接続するための排出口が設けられていることを特徴とする。
【発明の効果】
【００２９】
本発明に基づく洗浄装置によれば、複数の洗浄方法を設けて、被洗浄物の種類に応じた洗浄を行うことができる。また、外筒部と内筒部とは同軸上に回転するので、外筒部の筒状部内の空間を有効に利用することができる。
【発明を実施するための最良の形態】
【００３０】
本発明においては、複数の洗浄方法を設けて、被洗浄物の種類に応じた洗浄を行うことができ、かつ、外側のドラム内の空間を有効に利用することができる洗浄装置を提供するという目的を以下のようにして実現した。
【実施例１】
【００３１】
本発明に基づく洗浄装置Ａ１は、図１〜図６に示すように構成され、設置台部５と、投入ホッパ２０と、洗浄装置本体３０と、排出ホッパ１４０と、を有している。なお、この洗浄装置Ａ１は、被洗浄物と水とを混ぜて洗浄装置本体３０内に送る、いわば湿式の洗浄装置である。
【００３２】
ここで、設置台部５は、ベースフレーム６と、投入ホッパ設置台８と、モータ設置台１０と、モータ設置台１２と、軸支部設置台１４と、を有している。
【００３３】
このベースフレーム６は、設置面に設置され、投入ホッパ設置台８やモータ設置台１０やモータ設置台１２や軸支部設置台１４を支持するとともに、排出ホッパ１４０を支持している。
【００３４】
また、投入ホッパ設置台８は、ベースフレーム６の上に設けられ、その上面に投入ホッパ２０を支持している。また、モータ設置台１０は、タイヤ１３４を回転させるためのモータ１３２を支持するものである。また、モータ設置台１２は、タイヤ１２４を回転させるためのモータを支持するものである。また、軸支部設置台１４は、外筒部４０に設けられた軸部５０を軸支する軸支部１６を支持するものである。この軸支部１６は、軸部５０を回転可能に軸支するものであり、円柱状の穴部を有し、軸支部１６の内部には、軸部５０を円滑に回転させるためのベアリング１６ａが設けられている。また、軸支部１６の前端側には、シール１６ｂが設けられている。
【００３５】
また、投入ホッパ２０は、投入ホッパ設置台８上に設置され、収納部２２と、筒状部２４とを有している。この収納部２２は、下方に行くほど径が小さくなる筒状を呈し、上側に投入口を有している。また、筒状部２４は、円筒状を呈し、その上側には、収納部２２の下端と接続するための開口部が設けられ、投入ホッパ２０の上側の開口部から投入された被洗浄物が筒状部２４内に投入されるようになっている。また、筒状部２４の前端側（Ｘ１側、前側としてもよい）には、水等の液体を供給するための供給口２４ａが設けられ、また、後端側（Ｘ２側、後側としてもよい）には、被洗浄物を液体とともに排出するための排出口２４ｂが設けられている。
【００３６】
次に、洗浄装置本体３０は、外筒部４０と、内筒部７０と、駆動部（第１駆動部）１２０と、駆動部（第２駆動部）１３０と、を有している。
【００３７】
外筒部４０は、前端部（前壁部）４２と、筒状部４３と、後端部（後壁部）４８と、トロンメル５２と、外輪体部６０と、を有している。
【００３８】
ここで、前端部４２は、板状を呈し、円形の外形を有し、中央には開口部が設けられている。つまり、前端部４２は、リング状の板状を呈している。
【００３９】
また、筒状部４３は、２つの円錐台形状の筒状を組み合わせた形状を呈し、第１筒状部４４と、第２筒状部４６とを有している。つまり、筒状部４３は、両側テーパ形状に形成されている。
【００４０】
この第１筒状部４４は、第１筒状部本体４４ａと、ライナ４４ｂとを有している。この第１筒状部本体４４ａは、前端部４２に取り付けられていて、筒状を呈し、排出側に行くほど大径となるテーパを有する円錐台形状に形成されている。すなわち、少なくとも、第１筒状部本体４４ａの内径が、排出側に行くほど大径となるテーパを有する円錐台形状に形成されている。
【００４１】
また、ライナ４４ｂは、第１筒状部本体４４ａの内周面に設けられていて、これにより、第１筒状部４４の内周面には、凹凸が形成されている。このライナ４４ｂは、金属又はゴムにより断面凹凸状に形成され、第１筒状部本体４４ａに着脱自在に設けられている。
【００４２】
また、第２筒状部４６は、第１筒状部４４の後端に取り付けられていて、第２筒状部本体４６ａと、ライナ４６ｂとを有している。
【００４３】
この第２筒状部本体４６ａは、第１筒状部本体４４ａの後端に取り付けられていて、筒状を呈し、排出側に行くほど小径となるテーパを有する円錐台形状に形成されている。すなわち、少なくとも、第２筒状部本体４６ａの内径が、排出側に行くほど小径となるテーパを有する円錐台形状に形成されている。なお、この第２筒状部本体４６ａのトロンメル５２の形成位置には、周方向（すなわち、第２筒状部４６の軸線方向に直角な周方向）に複数の開口部（排出口）Ｋ１が設けられている。
【００４４】
また、ライナ４６ｂは、第２筒状部本体４６ａの内周面に設けられていて、これにより、第２筒状部４６の内周面には、凹凸が形成されている。このライナ４６ｂは、金属又はゴムにより断面凹凸状に形成され、第２筒状部本体４６ａに着脱自在に設けられている。
【００４５】
また、後端部４８は、第２筒状部本体４６ａの後端に取り付けられていて、図６に示すように、板状部４８ａと、板状部４８ｂと、ハブ４８ｃと、ハブ４８ｄと、ベアリング４８ｅと、軸部（第１回転軸部）５０等を有している。
【００４６】
ここで、板状部４８ａは、第２筒状部本体４６ａの後端に溶接等により取り付けられ、板状を呈し、円形の外形を有し、中央には開口部が設けられている。つまり、板状部４８ａは、リング状の板状を呈している。また、この板状部４８ａの外周側には、同じくリング状の板状を呈する板状部４８ｂが取り付けられている。
【００４７】
また、ハブ４８ｃは、板状部４８ａの後端側に取り付けられていて、リング状の板状形状と軸部５０を内部に固定可能に穴部を有した円柱形状とを組み合わせた形状を呈している。また、ハブ４８ｄは、板状部４８ａの前端側に取り付けられていて、筒状部の前端側においては、内周側に突出したリング状の板状部が設けられ、筒状部の後端側においては、外周側に突出したリング状の板状部が設けられた形状を呈している。このハブ４８ｄは、内筒部７０の軸部１０６の軸支部として機能する。また、ベアリング４８ｅは、ハブ４８ｄの内周面、すなわち、筒状部の内周部に設けられている。また、ハブ４８ｄの前端側には、シール４８ｆが設けられている。
【００４８】
また、軸部５０は、略円柱状（円柱状としてもよい）を呈し、ハブ４８ｃの穴部に固定して設けられている。この軸部５０の軸線（中心軸）は、外筒部４０の軸線（中心軸）と一致して設けられている。
【００４９】
また、第２筒状部４６（具体的には、第２筒状部本体４６ａ）の後端側の外周面には、トロンメル５２が設けられている。このトロンメル５２は、全体にリング状を呈していて、リング状の板状を呈する板状部５４と、リング状の板状を呈する板状部５６と、帯状の網状部材をループ状に形成した網状部５８とを有している。板状部５４は、第２筒状部本体４６ａの外周面に外筒部４０の軸線と直角となるように設けられていて、また、同じく、板状部５６は、第２筒状部本体４６ａの外周面に外筒部４０の軸線と直角となるように設けられている。網状部５８は、板状部５４と板状部５６間に設けられていて、網状部５８の内側の面が後端側に傾斜するように設けられている。これは、網状部５８を通過できなかった被洗浄物が後端側に転がるようにするためである。
【００５０】
なお、第２筒状部本体４６ａの板状部５４と板状部５６間の領域には、複数の開口部が周方向に設けられている。この開口部により、被洗浄物が網状部５８側に落下するようになっている。また、板状部５６には、複数の開口部が設けられていて、この開口部により網状部５８を通過できなかった被洗浄物がホッパ１５２側に移動するようになっている。
【００５１】
また、外輪体部６０は、外形略円帯状（略リング状としてもよい）を呈し、筒状部４３（具体的には、第１筒状部４４）の外周面に周設されている。外筒部４０の軸部５０は、軸支部１６に回転可能に軸支されているので、この外輪体部６０を回転させることにより、外筒部４０が回転することになる。外筒部４０が回転する際の軸線方向（つまり、回転軸の軸線方向）は、Ｘ１−Ｘ２方向となる。
【００５２】
また、内筒部７０は、筒状部７２と、周設部８０と、後端部１００と、外輪体部１１０とを有している。ここで、筒状部７２は、略円筒状を呈し、第１筒状部７２ａと、第２筒状部７２ｂと、第３筒状部７２ｃとを繋げた構成となっている。第１筒状部７２ａは、前端側を小径となるようにテーパ状に形成された筒状を呈し、前端側の内径が後端側の内径よりも小さく形成されている。この第１筒状部７２ａの前端側が供給口となる。また、第２筒状部７２ｂは、略円筒状を呈し、また、第３筒状部７２ｃは、略円筒状を呈している。第１筒状部７２ａと第２筒状部７２ｂの接続部分の内周は面一に形成され、また、第２筒状部７２ｂと第３筒状部７２ｃの接続部分の内周は面一に形成されている。各筒状部の接続部分には、フランジが形成されていて、これにより各筒状部が接続されている。また、第２筒状部７２ｂの内周面と、第３筒状部７２ｃの内周面の前端側には、押込み羽根（スクリューコンベアとしてもよい）７４が設けられている。また、第３筒状部７２ｃには、第３筒状部７２ｃの外面と内面とを連通する開口部（排出口）７６が複数設けられている。また、第３筒状部７２ｃの開口部７６の後端位置には、第３筒状部７２ｃの内側の空間を仕切る仕切り板７７が設けられている。これにより、筒状部７２に投入された被洗浄物や液体は、仕切り板７７よりも奧（すなわち後端側）には行かないようになっている。
【００５３】
また、周設部８０は、板状部８２ａ、８２ｂ、８２ｃと、洗浄シャフト８４と、洗浄シャフト８６と筒状部８８と、を有している。
【００５４】
ここで、板状部８２ａ、８２ｂ、８２ｃは、リング状の板状を呈し、円形の外形を呈するとともに、第３筒状部７２ｃが挿通するための開口部が形成されている。板状部８２ａ、８２ｂ、８２ｃはそれぞれ第３筒状部７２ｃの外周面に固定して設けられていて、板状部８２ａと板状部８２ｂとは所定の間隔を介して設けられ、板状部８２ａと板状部８２ｂ間に開口部７６が位置するように設けられている。また、板状部８２ｂと板状部８２ｃとは所定の間隔を介して設けられていて、板状部８２ｂと板状部８２ｃ間の距離は、板状部８２ａと板状部８２ｂ間の距離よりも長く形成されている。
【００５５】
また、洗浄シャフト８４は、板状部８２ａと板状部８２ｂ間に複数（図５の例では、４つ）設けられていて、各洗浄シャフト８４は、固定シャフト８４ａと、洗浄筒状部８４ｂとを有している。この固定シャフト８４ａは、板状部８２ａと板状部８２ｂ間に固定して設けられていて、少なくとも洗浄筒状部８４ｂが設けられる部分の外周面は、洗浄筒状部８４ｂが回転可能なように、円柱状の周面に形成されている。また、洗浄筒状部８４ｂは、円筒状（円筒状の棒状）を呈し、固定シャフト８４ａの周囲に回転可能に設けられている。なお、洗浄筒状部８４ｂは、円筒状であるとして説明したが、洗浄筒状部８４ｂが回転可能なようにその内周面が円柱状に形成されていれば、その外周面の形状は任意であり、例えば、洗浄筒状部８４ｂの外周面が凹凸に形成されていてもよい。なお、この洗浄シャフト８４の方向は、内筒部７０の軸線（つまり、回転中心の軸線）に対して平行に設けられている。各洗浄シャフト８４と内筒部７０の軸線との間の距離は、同じとなっている。つまり、各洗浄シャフト８４は、内筒部７０の軸線から等距離の位置に設けられている。また、各洗浄シャフト８４は互いに対称の位置に設けられていて、隣接する洗浄シャフト８４は、内筒部７０の軸線に対して９０度の位置に設けられている。
【００５６】
また、洗浄シャフト８６は、長さが異なる点を除けば、洗浄シャフト８４と同様の構成であり、板状部８２ｂと板状部８２ｃ間に複数（図５の例では、４つ）設けられていて、各洗浄シャフト８６は、固定シャフト８６ａと、洗浄筒状部８６ｂとを有している。この固定シャフト８６ａは、板状部８２ｂと板状部８２ｃ間に固定して設けられていて、少なくとも洗浄筒状部８６ｂが設けられる部分の外周面は、洗浄筒状部８６ｂが回転可能なように、円柱状の周面に形成されている。また、洗浄筒状部８６ｂは、円筒状（円筒状の棒状）を呈し、固定シャフト８６ａの周囲に回転可能に設けられている。なお、洗浄筒状部８６ｂは、円筒状であるとして説明したが、洗浄筒状部８６ｂが回転可能なようにその内周面が円柱状に形成されていれば、その外周面の形状は任意であり、例えば、洗浄筒状部８６ｂの外周面が凹凸に形成されていてもよい。なお、この洗浄シャフト８６の方向は、内筒部７０の軸線（つまり、回転中心の軸線）に対して平行に設けられている。各洗浄シャフト８６と内筒部７０の軸線との間の距離は、同じとなっている。つまり、各洗浄シャフト８６は、内筒部７０の軸線から等距離の位置に設けられている。また、各洗浄シャフト８６は互いに対称の位置に設けられていて、隣接する洗浄シャフト８６は、内筒部７０の軸線に対して９０度の位置に設けられている。
【００５７】
なお、洗浄シャフト８４と内筒部７０の軸線間の距離と、洗浄シャフト８６と内筒部７０の軸線間の距離は同じに形成されていて、各洗浄シャフト８６は、内筒部７０の軸線と平行な方向（Ｘ１−Ｘ２方向）に洗浄シャフト８４の延長線上に設けられている。
【００５８】
また、板状部８２ｂと板状部８２ｃ間の第３筒状部７２ｃの周囲には、筒状部８８が設けられている。この筒状部８８は円筒状を呈し、前端側の端部は、板状部８２ｂに固定され、また、後端側の端部は、板状部８２ｃに固定されている。この筒状部８８の外径は、洗浄シャフト８６と所定の間隔が形成されるだけの大きさとなっていて、筒状部８８の半径の長さは、シャフト８６と内筒部７０の軸線間の長さよりも小さく形成されている。
【００５９】
なお、この筒状部８８の外周面を凹凸形状とすることが好ましい。また、この筒状部８８の外周面に、突起状のライナを着脱自在に設けるようにしてもよい。
【００６０】
また、板状部８２ｂの周囲には、リング状の板状部９０が設けられている。なお、この板状部９０は、リング状の板状部を半分に分割した板状部９０ａと板状部９０ｂとから形成されている。この板状部９０の幅を調整することにより、板状部９０の周端と筒状部４３の内面との間の隙間βの幅の大きさを調整することができる。つまり、複数の幅の大きさの板状部９０を用意しておき、使用する板状部９０を選択することにより、板状部９０の周端と筒状部４３の内面との間の隙間βを調整することができる。
【００６１】
また、板状部８２ａと板状部８２ｂ間の第３筒状部７２ｃの周囲には、補強のためのリブ９２が設けられている。このリブ９２は、第３筒状部７２ｃの外周の開口部７６間の位置に設けられていて、第３筒状部７２ｃと板状部８２ａと板状部８２ｂに固定されている。このリブ９２は、板状を呈し、筒状部７２の軸線から放射状の向きに形成されている。
【００６２】
また、後端部１００は、フランジ１０２と、ハブ１０４と、軸部（第２回転軸部）１０６と、筒状部１０８と、固定具１０９とを有している。
【００６３】
ここで、フランジ１０２は、第３筒状部７２ｃの後端側の端部の外周面に固定して設けられていて、リング状を呈している。また、ハブ１０４は、リング状の板状形状と軸部１０６を内部に固定可能に穴部を有した円柱形状とを組み合わせた形状を呈している。このハブ１０４は、フランジ１０２と固定されている。また、軸部１０６は、ハブ１０４の穴部内に挿通してハブ１０４に固定されている。この軸部１０６の軸線（中心軸）は、内筒部７０の軸線（中心軸）と一致して設けられている。この軸部１０６と軸部５０とは同一軸線上に設けられている。つまり、外筒部４０と内筒部７０とは、同心軸上に設けられている。すなわち、外筒部４０の回転中心と内筒部７０の回転中心とは一致している。
【００６４】
また、筒状部１０８は、筒状を呈し、外筒部４０の後端部４８に回転可能に設けられている。つまり、ハブ４８ｄに設けられたベアリング４８ｅにより回転可能に設けられている。また、この筒状部１０８の挿通穴には、軸部１０６が挿通されている。この軸部１０６は、筒状部１０８に対して軸部１０６の軸線方向（Ｘ１−Ｘ２方向）にスライド可能に形成されていて、所定の位置で固定具１０９を締め付けることにより、軸部１０６に筒状部１０８を固定できるようになっている。このように、軸部１０６を筒状部１０８に対してスライドさせることにより、内筒部７０の外筒部４０に対する軸線方向の位置を調整することが可能となる。
【００６５】
また、外輪体部１１０は、外形略円帯状（略リング状としてもよい）を呈し、筒状部７２（具体的には、第２筒状部７２ｂ）の外周面に周設されている。内筒部７０の軸部１０６は、軸支部としてのハブ４８ｄに回転可能に軸支されているので、この外輪体部１１０を回転させることにより、内筒部７０が回転することになる。内筒部７０が回転する際の軸線方向（つまり、回転軸の軸線方向）は、Ｘ１−Ｘ２方向となる。
【００６６】
また、駆動部１２０は、モータ１２２と、タイヤ１２４とを有し、駆動部１３０の場合と同様に、前端側から見て左右両側に一対設けられている。モータ１２２は、モータ設置台１２上に設置されていて、タイヤ１２４は、モータ１２２の出力軸に取り付けられている。そして、２つのタイヤ１２４は、両側から外輪体部６０に接するように設けられている。この２つのモータ１２２は、当然同期して回転するように構成されている。また、このモータ１２２は、インバータ制御により回転数を制御可能となっていて、回転数を任意に調整することができるようになっている。よって、外筒部４０の回転速度を任意に設定することができる。また、モータ１２２の回転方向を正逆いずれの方向にも調整可能となっている。
【００６７】
また、駆動部１３０は、モータ１３２と、タイヤ１３４とを有し、駆動部１２０の場合と同様に、前端側から見て左右両側に一対設けられている。モータ１３２は、モータ設置台１０上に設置されていて、タイヤ１３４は、モータ１３２の出力軸に取り付けられている。そして、２つのタイヤ１３４は、両側から外輪体部１１０に接するように設けられている。この２つのモータ１３２は、当然同期して回転するように構成されている。また、このモータ１３２は、インバータ制御により回転数を制御可能となっていて、回転数を任意に調整することができるようになっている。よって、内筒部７０の回転速度を任意に設定することができる。また、モータ１３２の回転方向を正逆いずれの方向にも調整可能となっている。
【００６８】
また、排出ホッパ１４０は、外筒部４０の後端側の周囲に設けられていて、リング状の板状を呈する板状部（第１壁部）１４２と、側面部（板状部としてもよい）１４４と、リング状の板状を呈する板状部（第２壁部）１４６とを有し、下方には、ホッパ１５０と、ホッパ１５２とを有している。側面部１４４は、湾曲した板状を呈し、外筒部４０の後端側の周囲を囲むように上端からホッパ１５０、１５２形成位置まで形成されている。つまり、図４において、排出ホッパ１４０の外形の位置に側面部１４４が存在することになる。排出ホッパ１４０の上端からホッパ１５０は、トロンメル５２の下方に設けられていて、網状部５８を通過した被洗浄物がこのホッパ１５０に落下するようになっている。また、網状部５８を通過できなかった被洗浄物は、板状部５６の開口部から後端側に移動し、ホッパ１５２に落下するようになっている。
【００６９】
また、ホッパ１５２の下方には、コンベア１６０が設けられ、ホッパ１５２に落下した被洗浄物は、コンベア１６０により移送されるようになっている。
【００７０】
上記構成の洗浄装置Ａ１の動作について説明する。なお、洗浄装置Ａ１を動作させる前に、内筒部７０を外筒部４０に対してスライドさせて、内筒部７０の外筒部４０に対する軸線方向の位置を調整する。この調整により、周設部８０の板状部８２ｃの周端と、第２筒状部４６の内周面との間の隙間αを調整する。この隙間αとしては、被洗浄物が通過できる大きさとする。この隙間αを調整することにより、被洗浄物の筒状部４３内での滞留時間を調整することが可能となる。調整が完了したら、固定具１０９により、軸部１０６を筒状部１０８に固定させる。
【００７１】
また、周設部８０に設ける板状部９０についても、板状部９０の周端と筒状部４３の内面との隙間β内を被洗浄物が通過できる大きさとしておく。この隙間βを調整することにより、被洗浄物の筒状部４３内での滞留時間を調整することが可能となる。
【００７２】
以上のように、隙間αや隙間βの調整が完了したら、洗浄作業を行う。まず、投入ホッパ２０に上方から被洗浄物を投入する。この被洗浄物としては、例えば、ペットボトルのチップ、残土、廃材（プラスチック、木材等の廃材）が挙げられる。
【００７３】
次に、駆動部１２０と駆動部１３０とを駆動させて、外筒部４０と内筒部７０を回転させる。つまり、駆動部１２０のモータ１２２によりタイヤ１２４を回転させることにより、外輪体部６０が回転し、これにより外筒部４０が回転する。また、駆動部１３０のモータ１３２によりタイヤ１３４を回転させることにより、外輪体部１１０が回転し、これにより内筒部７０が回転する。なお、外筒部４０と内筒部７０の回転方向は、同じ方向としてもよいし、異なる方向としてもよいが、被洗浄物の種類によって決定するのが好ましい。例えば、洗浄効率を高くして被洗浄物に付着した付着物の除去効率を上げるためには、外筒部４０と内筒部７０とは異なる回転方向とするのが好ましく、また、洗浄効率をある程度低くして、被洗浄物の粉砕のおそれを小さくするには、外筒部４０と内筒部７０とは同じ回転方向とするのが好ましい。なお、外筒部４０と内筒部７０の回転方向を同じにする場合には、回転速度に差を設けるようにするのが好ましい。
【００７４】
そして、投入ホッパ２０の供給口２４ａから水を供給する。すると、被洗浄物と水の混合物が内筒部７０の筒状部７２の供給口（つまり、第１筒状部７２ａの供給口）から筒状部７２内に供給される。
【００７５】
すると、押込み羽根７４により、該混合物は後端側に移送され、開口部７６から外部に排出されて、外筒部４０内に投入される。すると、周設部８０が回転しているので、洗浄シャフト８４の洗浄筒状部８４ｂと衝突して擦り合うことにより、被洗浄物の表面の付着物が除去される。同様に、第１筒状部４４の内側にもライナ４４ｂが設けられているので、このライナ４４ｂとの衝突により擦り合うことにより、被洗浄物の表面の付着物が除去される。
【００７６】
そして、筒状部４３の第１筒状部４４内の下部において、板状部９０の周端と第１筒状部４４の隙間から、被洗浄物が板状部９０よりも後端側に移動する。そして、さらに、被洗浄物が洗浄シャフト８６の洗浄筒状部８６ｂと衝突して擦り合い、さらに、ライナ４６ｂに衝突して擦り合うことにより、被洗浄物の表面の付着物が除去される。以上のようにして、被洗浄物の表面に付着した付着物が除去される。
【００７７】
なお、被洗浄物の洗浄に当たっては、外筒部４０や内筒部７０が回転することにより、被洗浄物同士がこすれ合うことにより付着物が除去され、また、外筒部４０はタイヤ１２４により支持され、内筒部７０はタイヤ１３４により支持されているので、タイヤにより支持されることにより微振動によっても付着物が除去される。
【００７８】
そして、板状部８２ｃの周端と第２筒状部４６の内周面との間の隙間を通過した被洗浄物は、トロンメル５２に至り、網状部５８を通過できるものはホッパ１５０に落下する。一方、網状部５８を通過できなかった被洗浄物は、板状部５６に設けられた開口部からホッパ１５２に落下する。これにより、径の小さい被洗浄物は、ホッパ１５０に落下し、径の大きい被洗浄物は、ホッパ１５２に落下する。ホッパ１５２に落下した被洗浄物は、コンベア１６０により移送される。
【００７９】
以上のように、本実施例の洗浄装置Ａ１によれば、被洗浄物を洗浄し、付着物を除去して被洗浄物を再生することができる。特に、洗浄装置Ａ１においては、外筒部４０と内筒部７０とを個別に回転させ、外筒部４０と内筒部７０の回転方向も正逆いずれにも自由に設定できるので、複数の洗浄方法を提供することができ、被洗浄物の種類に応じた洗浄を行うことができる。また、外筒部４０と内筒部７０とは、同軸上（同一軸上としてもよい）で回転するので、外筒部４０内の空間を有効に利用することができる。また、内筒部７０を外筒部４０に対してスライドさせて、内筒部７０の周設部８０の周端（特に、板状部８２ｃの周端）と筒状部４３の内周面との間の隙間の大きさを調整できるので、被洗浄物の大きさにして排出させることができる。
【００８０】
なお、上記の説明においては、上記構成のトロンメル５２が設けられているものとして説明したが、トロンメルにおける網状部の網目の大きさを複数設けて複数の径の大きさに分級させるようにしてもよい。つまり、軸線方向に異なる網目の大きさの網状部を連続して設けて、各網状部ごとに下方にホッパを個別に設けることにより、異なる径の大きさに分級してホッパに落下させることができる。
【実施例２】
【００８１】
次に、洗浄装置の他の例について説明する。実施例２に基づく洗浄装置Ａ２は、図７に示すように構成されている。なお、図７においては、洗浄装置本体３０における外筒部４０や内筒部７０や、排出ホッパ１４０のみを示し、設置台部５、や洗浄装置本体３０における駆動部１２０、１３０等の構成は省略して示されているが、図７で示された構成以外の構成は実施例１と同様の構成である。つまり、実際には、洗浄装置Ａ２には、設置台部５や洗浄装置本体３０における駆動部１２０、１３０も設けられている。以下の説明においては、基本的に実施例１の洗浄装置Ａ１と異なる点のみ説明し、他の部分については説明を省略する。
【００８２】
洗浄装置Ａ２においては、図７に示すように、外筒部４０の構成が実施例１の洗浄装置Ａ１と異なる。つまり、実施例１においては、２つの円錐台形状の筒状部を組み合わせることにより、外筒部４０の筒状部４３を構成しているが、本実施例においては、外筒部４０における筒状部１０４４が、略円筒状を呈する点が異なる。
【００８３】
つまり、外筒部４０は、前端部４２と、筒状部１０４４と、後端部４８と、トロンメル５２と、外輪体部６０と、を有している。
【００８４】
ここで、筒状部１０４４は、筒状部本体１０４４ａとライナ１０４４ｂとを有し、筒状部本体１０４４ａは、略円筒形状を呈している。なお、ライナ１０４４ｂは、筒状部本体１０４４ａの内周面に設けられていて、これにより、筒状部１０４４の内周面には、凹凸が形成されている。このライナ１０４４ｂは、金属又はゴムにより断面凹凸状に形成され、筒状部本体１０４４ａに着脱自在に設けられている。
【００８５】
また、筒状部１０４４（具体的には、筒状部本体１０４４ａ）の後端側の外周面には、トロンメル５２が設けられている。このトロンメル５２は、全体にリング状を呈していて、リング状の板状を呈する板状部５４と、リング状の板状を呈する板状部５６と、帯状の網状部材をループ状に形成した網状部５８とを有している。板状部５４は、筒状部本体１０４４ａの外周面に外筒部４０の軸線と直角となるように設けられていて、また、同じく、板状部５６は、筒状部本体１０４４ａの外周面に外筒部４０の軸線と直角となるように設けられている。網状部５８は、板状部５４と板状部５６間に設けられていて、網状部５８の内側の面が後端側に傾斜するように設けられている。これは、網状部５８を通過できなかった被洗浄物が後端側に転がるようにするためである。
【００８６】
なお、筒状部１０４４の板状部５４と板状部５６間の領域には、複数の開口部が周方向に設けられている。この開口部により、被洗浄物が網状部５８側に落下するようになっている。また、板状部５６には、複数の開口部が設けられていて、この開口部により網状部５８を通過できなかった被洗浄物がホッパ１５２側に移動するようになっている。
【００８７】
なお、外筒部４０における前端部４２や、後端部４８や、外輪体部６０の構成は、実施例１と同様のであるので説明を省略する。また、内筒部７０の構成は、実施例１における内筒部７０と同様の構成であるので、説明を省略する。なお、図７においては、内筒部７０の周設部８０における板状部８２ｂにはリング状の板状部９０は記載されていないが、実施例１のように、板状部９０を板状部８２ｂの周囲に設けるようにしてもよい。
【００８８】
なお、この実施例２においては、内筒部７０の周設部８０は、図７に示す構成であるとしたが、後述する図８に示す周設部１０８０としてもよい。
【実施例３】
【００８９】
次に、洗浄装置の他の例について説明する。実施例３に基づく洗浄装置Ａ３は、図８に示すように構成されている。なお、図８においては、洗浄装置本体３０における外筒部４０や内筒部７０や、排出ホッパ１４０のみを示し、設置台部５、や洗浄装置本体３０における駆動部１２０、１３０等の構成は省略して示されているが、図８で示された構成以外の構成は実施例１と同様の構成である。つまり、実際には、洗浄装置Ａ３には、設置台部５や洗浄装置本体３０における駆動部１２０、１３０も設けられている。以下の説明においては、基本的に実施例１の洗浄装置Ａ１と異なる点のみ説明し、他の部分については説明を省略する。
【００９０】
洗浄装置Ａ３においては、図８に示すように、内筒部７０の構成が実施例１の洗浄装置Ａ１と異なる。つまり、実施例１においては、内筒部７０における周設部８０において、洗浄シャフト８６は、内筒部７０の軸線方向に平行に設けられているが、実施例３においては、周設部１０８０における洗浄シャフト８６は内筒部７０の軸線方向に対して傾斜して設けられ、洗浄シャフト８６から筒状部７２への垂線の長さは、後端側にいくほど短くなるように傾斜している。この洗浄シャフト８６は、洗浄シャフト８６の軸線が内筒部７０の軸線が通る平面内にあるように設けられている。この洗浄シャフト８６の傾斜は、第２筒状部４６の内面に合わせて、第２筒状部４６の内面に平行になるように設けられているといえる。なお、洗浄シャフト８６は図８の例では４つ設けられており、各洗浄シャフト８６は互いに対称の位置に設けられている。この洗浄シャフト８６も、実施例１の場合と同様に、板状部８２ｂと板状部８２ｃに固定された固定シャフトと、該固定シャフトに周設され、回転可能に設けられた円筒状に形成された洗浄筒状部とから構成されている。よって、洗浄筒状部は、固定シャフトに回転可能に支持されているといえる。
【００９１】
このように、洗浄シャフト８６を第２筒状部４６の内面に平行となるように近接して設けることにより、被洗浄物が洗浄シャフト８６と擦り合う機会を増加させることができ、洗浄効率を上げることができる。つまり、被洗浄物の投入量が少ない場合でも、第２筒状部４６内の下部領域において、被洗浄物が洗浄シャフト８６と擦り合う機会を増加させることができ、洗浄効率を上げることができる。
【００９２】
なお、洗浄シャフト８４の構成は、実施例１と同様であり、板状部８２ａと板状部８２ｂに固定された固定シャフトと、該固定シャフトに周設され、回転可能に設けられた円筒状に形成された洗浄筒状部とから構成されている。
【００９３】
なお、外筒部４０や排出ホッパ１４０の構成は、実施例１の場合と同様であるので、説明を省略する。また、図８においては、内筒部７０の周設部１０８０における板状部８２ｂにはリング状の板状部９０は記載されていないが、実施例１のように、板状部９０を板状部８２ｂの周囲に設けて、筒状部４３の内面との隙間の大きさを調整できるようにしてもよい。また、実施例３においても、内筒部７０は外筒部４０に対してスライド可能であり、これにより、例えば、板状部８２ｂ（リング状の板状部９０を設けた場合には、板状部９０）と筒状部４３の内面との隙間を調整することができる。
【実施例４】
【００９４】
次に、洗浄装置の他の例について説明する。実施例４に基づく洗浄装置Ａ４は、図９に示すように構成されている。なお、図９においては、洗浄装置本体３０における外筒部４０や内筒部７０や、排出ホッパ１４０のみを示し、設置台部５、や洗浄装置本体３０における駆動部１２０、１３０等の構成は省略して示されているが、図９で示された構成以外の構成は実施例１と同様の構成である。つまり、実際には、洗浄装置Ａ４には、設置台部５や洗浄装置本体３０における駆動部１２０、１３０も設けられている。
【００９５】
洗浄装置Ａ４は、洗浄装置Ａ３と略同様の構成であるが、図９に示すように、外筒部４０の構成が実施例３の洗浄装置Ａ３と異なる。つまり、実施例１においては、外筒部４０の筒状部４３の第１筒状部４４は、円錐台形状に形成されているが、この実施例４においては、略円筒状に形成されている。つまり第１筒状部４４における第１筒状部本体４４ａは、フランジの部分を除き、円筒状に形成されている。これにより、筒状部４３は、円筒状と片側テーパ形状とを合わせた形状となっている。また、第１筒状部本体４４ａの内周面には、ライナ４４ｂが着脱自在に設けられている。これにより、第１筒状部４４の内周面には、凹凸が形成されている。このライナ４４ｂは、金属又はゴムにより断面凹凸状に形成され、第１筒状部本体４４ａに着脱自在に設けられている。なお、第２筒状部４６の内面にもライナが設けられているが、実施例１におけるライナ４６ｂと同様の構成である。
【００９６】
これにより、実施例４においては、洗浄シャフトと筒状部の内周面とが対応しており、例えば、図９に示すように、洗浄シャフト８４と第１筒状部４４の内周面とが平行になり、また、洗浄シャフト８６と第２筒状部４６の内周面とが平行になるように構成される。
【００９７】
また、図９においては、内筒部７０の周設部１０８０における板状部８２ｂにはリング状の板状部９０は記載されていないが、実施例１のように、板状部９０を板状部８２ｂの周囲に設けて、筒状部４３の内面との隙間の大きさを調整できるようにしてもよい。また、実施例４においても、内筒部７０は外筒部４０に対してスライド可能であり、これにより、例えば、板状部８２ｃと筒状部４３の内面との隙間や、板状部８２ｂ（リング状の板状部９０を設けた場合には、板状部９０）と筒状部４３の内面との隙間を調整することができる。
【００９８】
なお、この実施例４においては、内筒部７０の周設部１０８０は、図９に示す構成であるとしたが、図２に示す周設部８０としてもよい。
【実施例５】
【００９９】
次に、洗浄装置の他の例について説明する。実施例５に基づく洗浄装置Ａ５は、図１０に示すように構成されている。なお、図１０においては、洗浄装置本体３０における外筒部４０や内筒部７０や、排出ホッパ１４０のみを示し、設置台部５、や洗浄装置本体３０における駆動部１２０、１３０等の構成は省略して示されているが、図１０で示された構成以外の構成は実施例１と同様の構成である。つまり、実際には、洗浄装置Ａ５には、設置台部５や洗浄装置本体３０における駆動部１２０、１３０も設けられている。
【０１００】
洗浄装置Ａ５は、洗浄装置Ａ４と略同様の構成であるが、図１０に示すように、外筒部４０の構成が実施例４の洗浄装置Ａ４と異なる。つまり、この実施例５においては、外筒部４０の筒状部２０４４は、略円錐台形状を呈する点が異なる。つまり、筒状部２０４４は、片側テーパ形状となっている。
【０１０１】
つまり、外筒部４０は、前端部４２と、筒状部２０４４と、後端部４８と、トロンメル５２と、外輪体部６０と、を有している。
【０１０２】
ここで、筒状部２０４４は、筒状部本体２０４４ａとライナ２０４４ｂとを有し、筒状部本体２０４４ａは、略円錐台形状を呈している。つまり、テーパ状に形成されている。なお、ライナ２０４４ｂは、筒状部本体２０４４ａの内周面に設けられていて、これにより、筒状部２０４４の内周面には、凹凸が形成されている。このライナ２０４４ｂは、金属又はゴムにより断面凹凸状に形成され、筒状部本体２０４４ａに着脱自在に設けられている。
【０１０３】
また、筒状部２０４４（具体的には、筒状部本体２０４４ａ）の後端側の外周面には、トロンメル５２が設けられている。このトロンメル５２は、全体にリング状を呈していて、リング状の板状を呈する板状部５４と、リング状の板状を呈する板状部５６と、帯状の網状部材をループ状に形成した網状部５８とを有している。板状部５４は、筒状部本体２０４４ａの外周面に外筒部４０の軸線と直角となるように設けられていて、また、同じく、板状部５６は、筒状部本体２０４４ａの外周面に外筒部４０の軸線と直角となるように設けられている。網状部５８は、板状部５４と板状部５６間に設けられていて、網状部５８の内側の面が後端側に傾斜するように設けられている。これは、網状部５８を通過できなかった被洗浄物が後端側に転がるようにするためである。
【０１０４】
なお、筒状部本体２０４４ａの板状部５４と板状部５６間の領域には、複数の開口部が周方向に設けられている。この開口部により、被洗浄物が網状部５８側に落下するようになっている。また、板状部５６には、複数の開口部が設けられていて、この開口部により網状部５８を通過できなかった被洗浄物がホッパ１５２側に移動するようになっている。
【０１０５】
なお、外筒部４０における前端部４２や、後端部４８や、外輪体部６０の構成は、実施例１と同様であるので説明を省略する。また、内筒部７０の構成は、実施例３や実施例４における内筒部７０と同様の構成であるので、説明を省略する。なお、図１０においては、内筒部７０の周設部１０８０における板状部８２ｂにはリング状の板状部９０は記載されていないが、実施例１のように、板状部９０を板状部８２ｂの周囲に設けるようにしてもよい。また、実施例５においても、内筒部７０は外筒部４０に対してスライド可能であり、これにより、例えば、板状部８２ｃと筒状部２０４４の内面との隙間や、板状部８２ｂ（リング状の板状部９０を設けた場合には、板状部９０）と筒状部２０４４の内面との隙間を調整することができる。
【０１０６】
なお、上記実施例２〜５における各洗浄装置の動作、作用、効果は、上記実施例１と同様であるので、詳しい説明を省略する。なお、実施例２〜５の洗浄装置においても、被洗浄物を投入ホッパ２０の上方から投入し、投入ホッパ２０の供給口２４ａから水を供給する。つまり、実施例２〜５に示す洗浄装置は、いわば、湿式の洗浄装置である。
【０１０７】
なお、この実施例５においては、内筒部７０の周設部１０８０は、図１０に示す構成であるとしたが、図２に示す周設部８０としてもよい。
【実施例６】
【０１０８】
次に、洗浄装置の他の例について説明する。実施例６に基づく洗浄装置Ａ６は、図１１、図１２に示すように構成されている。なお、図１１においては、洗浄装置本体３０における外筒部４０や内筒部７０や、排出ホッパ１４０のみを示し、設置台部５、や洗浄装置本体３０における駆動部１２０、１３０等の構成は省略して示されているが、図１１で示された構成以外の構成は実施例１と同様の構成である。つまり、実際には、洗浄装置Ａ６には、設置台部５や洗浄装置本体３０における駆動部１２０、１３０も設けられている。
【０１０９】
洗浄装置Ａ６においては、図１１に示すように、内筒部７０の構成が実施例１の洗浄装置Ａ１と異なる。
【０１１０】
すなわち、内筒部７０は、筒状部７２と、周設部２０８０と、後端部１００と、外輪体部１１０とを有しているが、周設部２０８０の構成が、実施例１の内筒部７０とは異なる。筒状部７２と、周設部２０８０と、後端部１００と、外輪体部１１０の構成は、実施例１の場合と同様である。
【０１１１】
すなわち、本実施例において、周設部２０８０は、ドラム部２０８１と、リブ９２とを有している。
【０１１２】
ドラム部２０８１は、ドラム部本体２０８２と、リフター２１００、２１０２と、を有している。
【０１１３】
このドラム部本体２０８２は、円筒状部と円錐台部とを有するドラムであり、板状部２０８４と、板状部２０８６と、円筒状部２０８８と、円錐台筒状部２０９０と、を有している。板状部２０８４と板状部２０８６は、リング状の板状を呈し、円形の外形を呈するとともに、第３筒状部７２ｃが挿通するための開口部が形成されている。板状部２０８４、２０８６はそれぞれ第３筒状部７２ｃの外周面に固定して設けられていて、板状部２０８４と板状部２０８６とは所定の間隔を介して設けられている。板状部２０８６の外径は、板状部２０８４の外径よりも小さく形成されている。また、円筒状部２０８８は、円筒状を呈し、その前端側の端部は、板状部２０８４の端部に固定されている。また、円錐台筒状部２０９０は、円錐台の側面の形状を呈する筒状部であり、その前端側の径は、円筒状部２０８８と同じ径であり、その後端側の径は、板状部２０８６の外径と同じ径となっている。この円錐台筒状部２０９０の前端側の端部は、円筒状部２０８８の後端側の端部に固定され、円錐台筒状部２０９０の後端側の端部は、板状部２０８６の周端に固定されている。
【０１１４】
また、リフター２１００は、図１２に示すように、ドラム部本体２０８２の円筒状部２０８８の表面に取り付けられ、外周側に突出した形状を呈している。つまり、リフター２１００は、突出部２１００ａと、突出部２１００ａの両側から延びた取付け片部２１００ｂとを有し、突出部２１００ａは、四角形状の板状を折曲してその断面が三角形状の二辺をなす形状を呈している。また、取付け片部２１００ｂは、帯状の板状を呈している。このリフター２１００は、全体に一体に形成されている。円筒状部２０８８の周面には、複数のリフター２１００が設けられ、突出部２１００ａの頂部は、筒状部７２の軸線に平行となるように設けられている。
【０１１５】
また、リフター２１０２は、図１２に示すように、ドラム部本体２０８２の円錐台筒状部２０９０の表面に取り付けられ、外周側に突出した形状を呈している。つまり、リフター２１０２は、突出部２１０２ａと、突出部２１０２ａの両側から延びた取付け片部２１０２ｂとを有し、突出部２１０２ａは、縦長の台形形状の板状を折曲してその断面が三角形状の二辺をなす形状を呈している。また、取付け片部２１０２ｂは、縦長の台形形状の帯状の板状を呈している。このリフター２１０２は、全体に一体に形成されている。円錐台筒状部２０９０の周面には、複数のリフター２１０２が設けられている。
【０１１６】
また、筒状部７２の第３筒状部７２ｃのドラム部本体２０８２の前端側には、第３筒状部７２ｃの外面と内面とを連通する開口部７６が複数設けられている。また、第３筒状部７２ｃの外周面の複数の開口部７６の間の位置には、板状のリブ９２が固着されている。
【０１１７】
また、実施例６においても、内筒部７０は外筒部４０に対してスライド可能であり、これにより、例えば、ドラム部２０８１と筒状部４３の内面との隙間を調整することができる。
【０１１８】
なお、上記実施例６における各洗浄装置の動作、作用、効果は、上記実施例１と同様であり、被洗浄物を投入ホッパ２０の上方から投入し、投入ホッパ２０の供給口２４ａから水を供給する。つまり、実施例６に示す洗浄装置は、いわば、湿式の洗浄装置である。また、この洗浄装置Ａ６においては、内筒部７０が回転することにより、外筒部４０の筒状部４３内に投入された被洗浄物は、第１筒状部４４のライナと衝突して擦り合って、被洗浄物の表面の付着物が除去され、さらに、周設部２０８０が回転しているので、ドラム部２０８１のリフター２１００、２１０２と衝突して擦り合うことにより、被洗浄物の表面の付着物が除去され、また、第２筒状部４６の内側にもライナが設けられているので、このライナとの衝突により擦り合うことにより、被洗浄物の表面の付着物が除去される。
【実施例７】
【０１１９】
次に、洗浄装置の他の例について説明する。実施例７に基づく洗浄装置Ａ７は、図１３〜図１５に示すように構成されている。
【０１２０】
上記実施例１〜６に記載の洗浄装置Ａ１〜Ａ６が湿式の洗浄装置であるのに対して、洗浄装置Ａ７は、乾式の洗浄装置である。
【０１２１】
すなわち、洗浄装置Ａ７は、洗浄装置Ａ２と略同様の構成であるが、乾式の洗浄装置であることから、以下のような相違がある。
【０１２２】
すなわち、投入ホッパ２０の供給口２４ａからはエアーが供給され、このエアーにより被洗浄物を外筒部４０の筒状部１０４４内に投入させることから、エアーの漏れを少なくするために、外筒部４０の筒状部１０４４の前端部４２の後端側には、突出部（第１突出部）４２ａが設けられており、また、周設部８０の板状部８２ａの前端側には、突出部（第２突出部）８３が設けられている。この突出部４２ａは、リング状を呈し、その外径と内径は円形を呈している。また、突出部８３は、大径の突出部と小径の突出部とからなり、ともに、リング状を呈し、その外径と内径は円形を呈している。つまり、突出部８３は、二重のリング状を呈している。なお、図１３、図１４に示すように、突出部４２ａが、突出部８３における大径の突出部と小径の突出部の間に位置するように、突出部８３における大径部が最も大径で、次に、突出部４２ａが大径で、突出部８３の小径の突出部が最も小径となる。そして、突出部４２ａと突出部８３とが、側面視において、一部重なり合うことにより、エアーの露出を防止している。なお、前端部４２側を二重としてもよい。
【０１２３】
また、排出ホッパ１４０の軸線方向の端部位置においても、同様に、エアーの漏れを少なくする構造となっている。すなわち、排出ホッパ１４０の板状部１４２の後端側には、突出部（第１突出部）１４２ａが設けられており、また、トロンメル５２の板状部５４の前端側には、突出部（第２突出部）５４ａが設けられている。この突出部１４２ａは、リング状を呈し、その外径と内径は円形を呈している。また、突出部５４ａは、大径の突出部と小径の突出部とからなり、ともに、リング状を呈し、その外径と内径は円形を呈している。つまり、突出部５４ａは、二重のリング状を呈している。なお、図１３、図１５に示すように、突出部１４２ａが、突出部５４ａにおける大径の突出部と小径の突出部の間に位置するように、突出部５４ａにおける大径部が最も大径で、次に、突出部１４２ａが大径で、突出部５４ａの小径の突出部が最も小径となる。そして、突出部１４２ａと突出部５４ａとが、側面視において、一部重なり合うことにより、エアーの露出を防止している。なお、板状部１４２側を二重としてもよい。
【０１２４】
また、排出ホッパ１４０の板状部１４６の前端側には、突出部（第３突出部）１４６ａが設けられており、また、後端部４８の板状部４８ｂの後端側には、突出部（第４突出部）４９が設けられている。この突出部１４６ａは、リング状を呈し、その外径と内径は円形を呈している。また、突出部４９は、大径の突出部と小径の突出部とからなり、ともに、リング状を呈し、その外径と内径は円形を呈している。つまり、突出部４９は、二重のリング状を呈している。なお、図１３、図１５に示すように、突出部１４６ａが、突出部４９における大径の突出部と小径の突出部の間に位置するように、突出部４９における大径部が最も大径で、次に、突出部１４６ａが大径で、突出部４９の小径の突出部が最も小径となる。そして、突出部１４６ａと突出部４９とが、側面視において、一部重なり合うことにより、エアーの露出を防止している。なお、板状部１４６側を二重としてもよい。
【０１２５】
また、排出ホッパ１４０の側面部１４４には、排出口１４９が設けられ、この排出口１４９には、集塵装置が接続されるようになっている。
【０１２６】
また、内筒部７０の筒状部７２内には、上記の湿式の洗浄装置Ａ１〜Ａ６とは異なり、押込み羽根は設けられていない。つまり、エアーにより被洗浄物を筒状部７２内を移送させるので、押込み羽根を設ける必要はないので、押込み羽根は設けられていない。
【０１２７】
なお、図１３、図１４においては、内筒部７０の周設部８０における板状部８２ｂにはリング状の板状部９０は記載されていないが、実施例１のように、板状部９０を板状部８２ｂの周囲に設けて、筒状部１０４４の内面との隙間の大きさを調整できるようにしてもよい。
【０１２８】
上記構成の洗浄装置Ａ７の動作、使用状態は、以下のようになる。なお、洗浄装置Ａ７の投入ホッパ２０の供給口２４ａには、エアー供給装置を接続し、また、排出口１４９には、集塵装置を接続する。
【０１２９】
洗浄に当たっては、まず、投入ホッパ２０に上方から被洗浄物を投入する。この被洗浄物としては、例えば、ペットボトルのチップ、残土、廃材（プラスチック、木材等の廃材）が挙げられる。
【０１３０】
次に、駆動部１２０と駆動部１３０とを駆動させて、外筒部４０と内筒部７０を回転させる。なお、外筒部４０と内筒部７０の回転方向は、同じ方向としてもよいし、異なる方向としてもよいが、被洗浄物の種類によって決定するのが好ましい。例えば、洗浄効率を高くして被洗浄物に付着した付着物の除去効率を上げるためには、外筒部４０と内筒部７０とは異なる回転方向とするのが好ましく、また、洗浄効率をある程度低くして、被洗浄物の粉砕のおそれを小さくするには、外筒部４０と内筒部７０とは同じ回転方向とするのが好ましい。
【０１３１】
そして、投入ホッパ２０の供給口２４ａからエアーを供給する。すると、被洗浄物はエアーに押し込まれて内筒部７０の筒状部７２の供給口（つまり、第１筒状部７２ａの供給口）から筒状部７２内に供給される。
【０１３２】
すると、被洗浄物は後端側に移送され、開口部７６から外部に排出されて、外筒部４０内に投入される。すると、周設部８０が回転しているので、洗浄シャフト８４の洗浄筒状部８４ｂと衝突して擦り合うことにより、被洗浄物の表面の付着物が除去される。同様に、筒状部１０４４の内側にもライナ１０４４ｂが設けられているので、このライナ１０４４ｂとの衝突により擦り合うことにより、被洗浄物の表面の付着物が除去される。
【０１３３】
そして、筒状部１０４４内の下部において、板状部８２ｂの周端（なお、板状部８２ｂにリング状の板状部９０を取り付けた場合には、板状部９０の周端）と筒状部１０４４の隙間から後端側に移動する。そして、さらに、被洗浄物が洗浄シャフト８６の洗浄筒状部８６ｂと衝突して擦り合い、さらに、ライナ１０４４ｂに衝突して擦り合うことにより、被洗浄物の表面の付着物が除去される。以上のようにして、被洗浄物の表面に付着した付着物が除去される。
【０１３４】
そして、板状部８２ｃの周端と筒状部１０４４の内周面との間の隙間を通過した被洗浄物は、トロンメル５２に至り、網状部５８を通過できるものはホッパ１５０に落下する。一方、網状部５８を通過できなかった被洗浄物は、板状部５６に設けられた開口部からホッパ１５２に落下する。これにより、径の小さい被洗浄物は、ホッパ１５０に落下し、径の大きい被洗浄物は、ホッパ１５２に落下する。ホッパ１５２に落下した被洗浄物は、コンベア１６０により移送される。なお、集塵は、排出口１４９から排出されて、集塵装置により集塵される。
【０１３５】
以上のように、本実施例の洗浄装置Ａ７によれば、被洗浄物を洗浄し、付着物を除去して被洗浄物を再生することができる。特に、洗浄装置Ａ７においては、外筒部４０と内筒部７０とを個別に回転させ、外筒部４０と内筒部７０の回転方向も正逆いずれにも自由に設定できるので、複数の洗浄方法を提供することができ、被洗浄物の種類に応じた洗浄を行うことができる。また、外筒部４０と内筒部７０とは、同一軸上で回転するので、外筒部４０内の空間を有効に利用することができる。また、内筒部７０を外筒部４０に対してスライドさせて、内筒部７０の周設部８０の周端（特に、板状部８２ｃの周端）と筒状部１０４４の内周面との間の隙間の大きさを調整できるので、被洗浄物の大きさにして排出させることができる。
【０１３６】
なお、上記の各実施例の説明においては、上記構成のトロンメル５２が設けられているものとして説明したが、トロンメルにおける網状部の網目の大きさを複数設けて複数の径の大きさに分級させるようにしてもよい。つまり、軸線方向に異なる網目の大きさの網状部を連続して設けて、各網状部ごとに下方にホッパを個別に設けることにより、異なる径の大きさに分級してホッパに落下させることができる。
【０１３７】
なお、上記の各実施例の説明においては、内筒部７０の周設部８０は上記の構成であるとして説明したが、周設部８０から洗浄シャフト８４を省略した構成としてもよい。また、上記の各実施例の説明においては、内筒部７０の周設部１０８０は上記の構成であるとして説明したが、周設部１０８０から洗浄シャフト８４を省略した構成としてもよい。
【０１３８】
また、乾式の洗浄装置Ａ７における外筒部４０は、図１３に示す構成として説明したが、実施例１、３における外筒部としてもよいし、実施例４における外筒部としてよいし、実施例４における外筒部としてよい。また、乾式の洗浄装置Ａ７における内筒部７０は、図１３に示す構成として説明したが、実施例３〜５における内筒部としてもよいし、実施例６における内筒部としてもよい。
【０１３９】
なお、上記各図において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【図面の簡単な説明】
【０１４０】
【図１】実施例１の洗浄装置を示す側面図である。
【図２】実施例１の洗浄装置を示す断面図である。
【図３】実施例１の洗浄装置を示す正面図である。
【図４】実施例１の洗浄装置を示す背面図である。
【図５】内筒部の要部斜視図である。
【図６】外筒部と内筒部の後端側の要部断面図である。
【図７】実施例２の洗浄装置を示す要部断面図である。
【図８】実施例３の洗浄装置を示す要部断面図である。
【図９】実施例４の洗浄装置を示す要部断面図である。
【図１０】実施例５の洗浄装置を示す要部断面図である。
【図１１】実施例６の洗浄装置を示す要部断面図である。
【図１２】実施例６の内筒部の要部斜視図である。
【図１３】実施例７の洗浄装置を示す要部断面図である。
【図１４】実施例７の洗浄装置を示す要部拡大断面図である。
【図１５】実施例７の洗浄装置を示す要部拡大断面図である。
【符号の説明】
【０１４１】
Ａ１、Ａ２、Ａ３、Ａ４、Ａ５、Ａ６、Ａ７  洗浄装置
５  設置台部
２０  投入ホッパ
３０  洗浄装置本体
４０  外筒部
４２  前端部
４２ａ、４９、５４ａ、８３、１４２ａ、１４６ａ  突出部
４３、１０４４、２０４４  筒状部
４４  第１筒状部
４６  第２筒状部
４８、１００  後端部
５０、１０６  軸部
５２  トロンメル
６０、１１０  外輪体部
７０  内筒部
７２  筒状部
７６  開口部
８０、１０８０、２０８０  周設部
８２ａ、８２ｂ、８２ｃ、９０、１４２、１４４  板状部
８４、８６  洗浄シャフト
１２０、１３０  駆動部
１４０  排出ホッパ
１４４  側面部
１４９  排出口
１５０、１５２  ホッパ
２０８１  ドラム部
２１００、２１０２  リフター
【図１】
2007050385.tif 000003
【図２】
2007050385.tif 000004
【図３】
2007050385.tif 000005
【図４】
2007050385.tif 000006
【図５】
2007050385.tif 000007
【図６】
2007050385.tif 000008
【図７】
2007050385.tif 000009
【図８】
2007050385.tif 000010
【図９】
2007050385.tif 000011
【図１０】
2007050385.tif 000012
【図１１】
2007050385.tif 000013
【図１２】
2007050385.tif 000014
【図１３】
2007050385.tif 000015
【図１４】
2007050385.tif 000016
【図１５】
2007050385.tif 000017